(57)【要約】【課題】折り畳みジワの発生がなく、容易に組み立て製函が可能な、ストレート貼りの製函機で作製することのできる４コーナーウォータータイト貼りの紙トレイを提供すること。【解決手段】各縦側面板（１２，１２）とそれに連設されるコーナーフラップ（１５，１５，１５，１５）を縦方向の折り曲げ線（ａ）に沿って山折りし、ついで、各横側面板（１４，１４）とそれに連設されるコーナーフラップ（１５，１５，１５，１５）を横方向の折り曲げ線（ｂ）に沿って山折りした後、左右両方の縦側面板（１２，１２）を起こすことにより斜め方向の折り曲げ線（ｃ）に沿ってコーナーフラップ（１５，１５，１５，１５）が折り込まれて組み立てが完了すること。【選択図】図３
2008037491.tif 000002
【特許請求の範囲】
【請求項１】
方形の底面板の一方の相対向する二辺に縦方向の折り曲げ線を介して縦側面板と縦フラップがそれぞれこの順序で連設され、
もう一方の相対向する二辺に横方向の折り曲げ線を介して横側面板がそれぞれ連設され、
各縦側面板と各横側面板の間には、隣接する側面板に互いに連設するコーナーフラップが各側面板の上端縁近傍を除いて設けられ、該コーナーフラップは、底面板の各隅部を起点にして外方に向けて略45度の角度で各コーナーフラップを二分する斜め方向の折り曲げ線により縦側面板に隣接する縦側面板フラップと、横側面板に隣接する横側面板フラップとに二分され、
各縦側面板の横方向の折り曲げ線の延長上でコーナーフラップが連設されていない部分の縦フラップ寄りの両端縁には、外方に向けて僅かに突出した突出部が設けられた構造からなるブランクを、
各縦側面板とそれに連設するコーナーフラップを縦方向の折り曲げ線に沿って山折りし、ついで、各横側面板とそれに連設するコーナーフラップを横方向の折り曲げ線に沿って山折りした後、左右両方の縦側面板を起こすことにより斜め方向の折り曲げ線に沿ってコーナーフラップが折り込まれて組み立てが完了することを特徴とする、紙トレイ。
【請求項２】
前記各横側面板の横方向の折り曲げ線と縦方向の折り曲げ線が交差する両隅角の角度は９０度より広角に形成され、前記縦側面板フラップの横方向の折り曲げ線と斜め方向の折り曲げ線が交差する両隅角の角度は４５度より広角に形成されていることを特徴とする、請求項１記載の紙トレイ。
【請求項３】
前記縦側面板の横方向の折り曲げ線の延長上の端縁に形成される突出部は、端縁からゆるやかな傾斜を有するハの字状に突出していることを特徴とする、請求項１又は２記載の紙トレイ。
【発明の詳細な説明】
【技術分野】
【０００１】
本発明は、一枚のブランクシートから形成される紙トレイに関するものであり、特には、ストレート貼りの製函機で作製することのできる４コーナーウォータータイト貼りの紙トレイに関する。
【背景技術】
【０００２】
従来、ウォータータイト貼りの紙函は、木型を用いた専用の製函機で作製されており、一般的にはストレート貼りの製函機では製函されていない。そのため形態としてはテーパーを持った形態となることが不可欠となり、同時に折り畳みできないという不具合が生じていた。
【０００３】
ストレート貼りの製函機を使用してウォータータイト貼りの紙函を作製すると、上記２点の問題点は解決されるが、折り畳みながら貼るために不要なシワ（２０１）が発生したり、側壁（２０２）が倒れ込んで函の体をなさないという新たな問題点が発生する（図４
（ａ），（ｂ）参照）。
【発明の開示】
【発明が解決しようとする課題】
【０００４】
本発明は、ストレート貼りの製函機を使用してウォータータイト貼りの紙函を作製する際に発生する以上のような問題に鑑みてなされたもので、折り畳みジワの発生がなく、容易に組み立て製函が可能な、ストレート貼りの製函機で作製することのできる４コーナーウォータータイト貼りの紙トレイを提供することを課題とする。
【課題を解決するための手段】
【０００５】
本発明の請求項１の発明は、方形の底面板の一方の相対向する二辺に縦方向の折り曲げ線を介して縦側面板と縦フラップがそれぞれこの順序で連設され、もう一方の相対向する二辺に横方向の折り曲げ線を介して横側面板がそれぞれ連設され、各縦側面板と各横側面板の間には、隣接する各側面板に互いに連設するコーナーフラップが各側面板の上端縁近傍を除いて設けられ、該コーナーフラップは、底面板の各隅部を起点にして外方に向けて略４５度の角度で各コーナーフラップを二分する斜め方向の折り曲げ線により縦側面板に隣接する縦側面板フラップと、横側面板に隣接する横側面板フラップとに二分され、各縦側面板の横方向の折り曲げ線の延長上でコーナーフラップが連設されていない部分の縦フラッフ゜寄りの両端縁には、外方に向けて僅かに突出した突出部が設けられた構造からなるブランクを、各縦側面板とそれに連設するコーナーフラップを縦方向の折り曲げ線に沿って山折りし、ついで、各横側面板とそれに連設するコーナーフラップを横方向の折り曲げ線に沿って山折りした後、左右両方の縦側面板を起こすことにより斜め方向の折り曲げ線に沿って各コーナーフラップが折り込まれて組み立てが完了することを特徴とする、紙トレイである。
【０００６】
このように請求項１記載の発明によれば、方形の底面板の一方の相対向する二辺に縦方向の折り曲げ線を介して縦側面板と縦フラップがそれぞれこの順序で連設され、もう一方の相対向する二辺に横方向の折り曲げ線を介して横側面板がそれぞれ連設され、各縦側面板と各横側面板の間には、隣接する各側面板に互いに連設するコーナーフラップが各側面板の上端縁近傍を除いて設けられ、該コーナーフラップは、底面板の各隅部を起点にして外方に向けて略４５度の角度で各コーナーフラップを二分する斜め方向の折り曲げ線により縦側面板に隣接する縦側面板フラップと、横側面板に隣接する横側面板フラップとに二分され、各縦側面板の横方向の折り曲げ線の延長上でコーナーフラップが連設されていな
い部分の縦フラップ寄りの両端縁には、外方に向けて僅かに突出した突出部が設けられた構造からなるブランクを、各縦側面板とそれに連設するコーナーフラップを縦方向の折り曲げ線に沿って山折りし、ついで、各横側面板とそれに連設するコーナーフラップを横方向の折り曲げ線に沿って山折りした後、左右両方の縦側面板を起こすことにより斜め方向の折り曲げ線に沿って各コーナーフラップが折り込まれて組み立てが完了するので、ストレート貼りの製函機で簡単に作製することができる。
【０００７】
また、トレーに組み立てる際、縦側面板の端縁に設けられた突出部が横側面板の端面に引っかかることで縦側面板が内側に倒れることを防止している.。
【０００８】
また、請求項２の発明は、請求項１の発明において、前記各横側面板の横方向の折り曲げ線と縦方向の折り曲げ線が交差する両隅角の角度は９０度より広角に形成され、前記縦側面板フラップの横方向の折り曲げ線と斜め方向の折り曲げ線が交差する両隅角の角度は４５度より広角に形成されていることを特徴とする、紙トレイである。
【０００９】
このように請求項２の発明によれば、前記各横側面板の横方向の折り曲げ線と縦方向の折り曲げ線が交差する両隅角の角度は９０度より広角（例えば９１度）に形成され、前記縦側面板フラップの横方向の折り曲げ線と斜め方向の折り曲げ線が交差する両隅角の角度は４５度より広角（例えば４６度）に形成されているので、横側面板がより内側に倒れるようにして、縦側面板に設けられた突出部が横側面板の端面に引っかかることで縦側面板が内側に倒れることを防止している。
【００１０】
また、請求項３の発明は、請求項１又は２の発明において、前記縦側面板の横方向の折り曲げ線の延長上の端縁に形成されている突出部の両端は、端縁からゆるやかな傾斜を有するハの字状に突出していることを特徴とする、紙トレイである。
【００１１】
このように請求項３の発明によれば、縦側面板の横方向の折り曲げ線の延長上の端縁に形成されている突出部の両端は、端縁からゆるやかな傾斜を有するハの字状に突出しているので、函を組み立てたときに、この部分が横側面板の端面に引っかかることで縦側面板が内側に倒れて函の形態をなさなくなることを防ぐことができる。
【発明の効果】
【００１２】
このように本発明によれば、折り畳みができて集積効率の高いウォータータイト貼りの紙トレイを作製することができる。また、通常のストレート貼りの製函機で作製することができるので、これまでの専用の製函機よりもさらにハイサイクルな製函を実施することができる。
【発明を実施するための最良の形態】
【００１３】
本発明を一実施形態に基づいて以下に詳細に説明する。
本発明の紙トレイは、例えば.、図１に示すようなブランクシート（１０）を通常のストレート貼りの製函機で組み立ててなる。先ず、ブランクシート（１０）を説明する。
【００１４】
方形の底面板（１１）の一方の相対向する二辺に縦方向の折り曲げ線（ａ,ａ）を介して縦側面板（１２，１２）と縦フラップ（１３，１３）がそれぞれこの順序で連設されている。
【００１５】
方形の底面板（１１）のもう一方の相対向する二辺には、横方向の折り曲げ線（ｂ，ｂ）を介して横側面板（１４，１４）がそれぞれ連設されている。
【００１６】
各縦側面板（１２、１２）と各横側面板（１４，１４）の間には、隣接する各側面板に
互いに連設するコーナーフラップ（１５，１５，１５，１５）が設けられている。
【００１７】
この各ーナーフラップは、底面板（１１）の各隅部を起点にして外方に向けて略４５度の角度で各コーナーフラップを二分する斜め方向の折り曲げ線（ｃ）により、縦側面板に隣接する縦側面板フラップ（１５１）と、横側面板に隣接する横側面板フラップ（１５２）とに区画されている。
【００１８】
各縦側面板（１２，１２）の横方向の折り曲げ線（ｂ，ｂ）の延長上でコーナーフラップ（１５，１５）が連設されていない部分の縦フラップ寄りの両端縁には、外方に向けて僅かに突出した突出部（１２１，１２１，１２１，１２１、）が設けられている。
【００１９】
このような構造からなるブランクシート（１０）を紙トレイ（１）に組み立てる手順の一例をつぎに説明する。
【００２０】
各縦側面板（１２，１２）とそれに連設されるコーナーフラップ（１５，１５）を縦方向の折り曲げ線（ａ，ａ）に沿って山折りする。
【００２１】
各横側面板（１４，１４）とそれに連設されるコーナーフラップ（１５．１５）を横方向の折り曲げ線（ｂ，ｂ）に沿って山折りする。
【００２２】
ついで、左右両方の縦側面板（１２，１２）を起こすことによって、斜め方向の折り曲げ線（ｃ，ｃ，ｃ，ｃ）に沿って、各コーナーフラップ（１５，１５，１５，１５）が折り込まれて組み立てが完了する（図２参照）。
【００２３】
各横側面板（１４，１４）の横方向の折り曲げ線（ｂ）と縦方向の折り曲げ線（ａ）が交差する両隅角の角度を９０度より広角、例えば９１度にし、縦側面板フラップ（１５１）の横方向の折り曲げ線（ｂ，ｂ）と斜め方向の折り曲げ線（ｃ，ｃ）が交差する両隅角の角度を４５度より広角、例えば４６度にしておくことにより、縦側面板（１２、１２）が起こされたとき、横側面板（１４，１４）の両端面が突出部（１２１，１２１，１２１，１２１、）に引っかかって縦側面板（１４，１４）が内側に倒れ込むことを防止している。
【００２４】
また、縦側面板（１２，１２）の横方向の折り曲げ線の延長上の端縁に形成される突出部（１２１，１２１，１２１，１２１）の両端は、端縁から緩やかな傾斜を有するハの字状に突出している。このように形成しておくことにより、縦側面板（１２、１２）が起こされたとき、横側面板（１４，１４）の両端面が突出部（１２１，１２１，１２１，１２１、）に引っかかって縦側面板（１４，１４）が内側に倒れ込むことを防止している。
【図面の簡単な説明】
【００２５】
【図１】本発明の紙トレイのブランクシートの一実施例を示す、平面説明図である。
【図２】図１のブランクシートを紙トレイに折り畳んだ状態を示す、平面説明図である。
【図３】図２の紙トレイを組み立てた状態を示す、斜視説明図である。
【図４】従来の紙トレイの一例を示す、（ａ）は折り畳んだ状態の斜視説明図であり、（ｂ）は組み立てた状態の斜視説明図である。
【符号の説明】
【００２６】
１‥‥紙トレイ
１０‥‥ブランクシート
１１‥‥底面板
１２‥‥縦側面板
１３‥‥縦フラップ
１４‥‥横側面板
１５‥‥コーナーフラップ
１２１‥‥突出部
１５１‥‥縦側面板フラップ
１５２‥‥横側面板フラップ
２００‥‥紙トレイ
２０１‥‥シワ
２０２‥‥側壁
ａ‥‥縦方向の折り曲げ線
ｂ‥‥横方向の折り曲げ線
ｃ‥‥斜め方向の折り曲げ線
【図１】
2008037491.tif 000003
【図２】
2008037491.tif 000004
【図３】
2008037491.tif 000005
【図４】
2008037491.tif 000006